(57)【要約】【課題】モジュラジャックの着脱作業を容易にしたパッチパネルを提供する。【解決手段】モジュラプラグが着脱自在に接続されるプラグ接続口３ａが前面に開口する複数のモジュラジャック１と、背面側から差し込まれる複数（例えば６個）のモジュラジャック１を保持するとともに、各モジュラジャック１の前面を開口窓２４から露出させるパネル２１と、複数（例えば４個）のパネル２１を保持してラックなどの被取付部位に取り付けられるフレーム２２とを備え、各パネル２１には６個のモジュラジャック１が３個ずつ上下２列に配置されており、モジュラジャック１の配列方向（左右方向）において上側の列のモジュラジャック１の位置と、下側の列のモジュラジャック１の位置とをずらしすことで、隣接する相互のモジュラジャック１の位置を互いにずらして配置してある。【選択図】図１
2005209387.tif 000002
【特許請求の範囲】
【請求項１】
プラグが着脱自在に接続されるプラグ接続口が前面にそれぞれ開口する複数のコネクタと、背面側から差し込まれる複数のコネクタをそれぞれ保持する複数の保持手段および当該保持手段に保持されたコネクタの前面を露出させる開口窓を具備して被取付部位に取着されるパネル部材とを備え、複数のコネクタはパネル部材に複数列に並べて配置されるとともに、コネクタの配列方向において、隣接する相互のコネクタの位置を互いにずらした状態で配置したことを特徴とするパッチパネル。
【請求項２】
プラグが着脱自在に接続されるプラグ接続口が前面にそれぞれ開口する複数のコネクタと、背面側から差し込まれる複数のコネクタをそれぞれ保持する複数の保持手段および当該保持手段に保持されたコネクタの前面を露出させる開口窓を具備して被取付部位に取着されるパネル部材とを備え、複数のコネクタはパネル部材に並べて配置されるとともに、コネクタの配列方向において隣接するコネクタの位置を前後方向にずらして配置したことを特徴とするパッチパネル。
【請求項３】
プラグが着脱自在に接続されるプラグ接続口が前面にそれぞれ開口する複数のコネクタと、背面側から差し込まれる複数のコネクタをそれぞれ保持する複数の保持手段および当該保持手段に保持されたコネクタの前面を露出させる開口窓を具備して被取付部位に取着されるパネル部材とを備え、複数のコネクタはパネル部材に並べて配置されるとともに、コネクタの取り外し時にコネクタを引き出すための摘みをコネクタ本体に設けたことを特とするパッチパネル。
【請求項４】
コネクタをパネル部材に取り付けた状態で保持手段の後縁から後方に突出するコネクタの部位に人の指が掛かる部位を設けたことを特徴とする請求項１乃至３の何れか１つに記載のパッチパネル。
【請求項５】
複数のコネクタがパネル部材に複数列に並べて配置され、コネクタ本体の後部には、上記配列方向と直交する方向の片側部に圧接形の電線接続端子が設けられており、少なくとも電線接続端子に電線を圧接する位置の側方に隣接するコネクタが存在しないように、隣接する２列のコネクタは、一方の列のコネクタと他方の列のコネクタの一部を重ねて配置したことを特徴とする請求項１乃至４の何れか１つに記載の記載のパッチパネル。
【請求項６】
上記一方の列のコネクタと、上記他方の列のコネクタとは、電線接続端子を設けた片側部が互いに反対側を向くように配置されたことを特徴とする請求項５記載のパッチパネル。
【発明の詳細な説明】
【技術分野】
【０００１】
本発明は、情報配線システムに用いるパッチパネルに関するものである。
【背景技術】
【０００２】
従来、オフィスや工場等において、音声信号、ＬＡＮ等のディジタル信号、画像信号といった様々な情報を伝達するために、ツイストペアケーブルを用いた情報配線システムが広く用いられている。このような情報配線システムでは、オフィスのレイアウト変更等の理由により情報配線の変更が必要となる場合に備えて、パッチパネルと称するネットワークの配線作業を支援するための中継端子盤が用いられている。
【０００３】
このようなパッチパネルは、図１５（ａ）（ｂ）に示すようにモジュラプラグが着脱自在に接続されるプラグ接続口３ａが前面に開口するモジュラジャック１と、背面側から差し込まれるモジュラジャック１を保持する保持手段および該保持手段に保持されたモジュラジャック１の前面を露出させる開口窓２４を具備して被取付部位に取着されるパネル部材２０とで構成されていた（例えば特許文献１参照）。
【特許文献１】特許第３４８２９０７号公報
【発明の開示】
【発明が解決しようとする課題】
【０００４】
上述した従来のパッチパネルでは、パネル部材２０に対して複数のモジュラジャック１が略一定のピッチで一列に並べて配列されており、前後方向におけるモジュラジャック１の取付位置も同じなので、隣接するモジュラジャック１の間に手の指が入り込む隙間が無く、モジュラジャック１を外す際に隣接するモジュラジャック１が邪魔になってモジュラジャック１を指で摘みにくく、モジュラジャック１を取り外す作業がやり難いという問題があった。
【０００５】
本発明は上記問題点に鑑みて為されたものであり、その目的とするところは、モジュラジャックの取り外し作業を容易にしたパッチパネルを提供することにある。
【課題を解決するための手段】
【０００６】
上記目的を達成するために、請求項１の発明は、プラグが着脱自在に接続されるプラグ接続口が前面にそれぞれ開口する複数のコネクタと、背面側から差し込まれる複数のコネクタをそれぞれ保持する複数の保持手段および当該保持手段に保持されたコネクタの前面を露出させる開口窓を具備して被取付部位に取着されるパネル部材とを備え、複数のコネクタはパネル部材に複数列に並べて配置されるとともに、コネクタの配列方向において、隣接する相互のコネクタの位置を互いにずらした状態で配置したことを特徴とする。
【０００７】
請求項２の発明では、プラグが着脱自在に接続されるプラグ接続口が前面にそれぞれ開口する複数のコネクタと、背面側から差し込まれる複数のコネクタをそれぞれ保持する複数の保持手段および当該保持手段に保持されたコネクタの前面を露出させる開口窓を具備して被取付部位に取着されるパネル部材とを備え、複数のコネクタはパネル部材に並べて配置されるとともに、コネクタの配列方向において隣接するコネクタの位置を前後方向にずらして配置したことを特徴とする。
【０００８】
請求項３の発明では、プラグが着脱自在に接続されるプラグ接続口が前面にそれぞれ開口する複数のコネクタと、背面側から差し込まれる複数のコネクタをそれぞれ保持する複数の保持手段および当該保持手段に保持されたコネクタの前面を露出させる開口窓を具備して被取付部位に取着されるパネル部材とを備え、複数のコネクタはパネル部材に並べて配置されるとともに、コネクタの取り外し時にコネクタを引き出すための摘みをコネクタ本体に設けたことを特徴とする。
【０００９】
請求項４の発明では、請求項１乃至３の発明において、コネクタをパネル部材に取り付けた状態で保持手段の後縁から後方に突出するコネクタの部位に人の指が掛かる部位を設けたことを特徴とする。
【００１０】
請求項５の発明では、請求項１乃至４の発明において、複数のコネクタがパネル部材に複数列に並べて配置され、コネクタ本体の後部には、上記配列方向と直交する方向の片側部に圧接形の電線接続端子が設けられており、少なくとも電線接続端子に電線を圧接する位置の側方に隣接するコネクタが存在しないように、隣接する２列のコネクタは、一方の列のコネクタと他方の列のコネクタの一部を重ねて配置したことを特徴とする。
【００１１】
請求項６の発明では、請求項５の発明において、上記一方の列のコネクタと、上記他方の列のコネクタとは、電線接続端子を設けた片側部が互いに反対側を向くように配置されたことを特徴とする。
【発明の効果】
【００１２】
以上説明したように、請求項１の発明では、複数のコネクタをパネル部材に複数列に並べて配置するとともに、コネクタの配列方向において、隣接する相互のコネクタの位置を互いにずらした状態で配置しているので、隣接するコネクタとの間に指が入り込みやすくなり、コネクタの着脱作業の作業性が向上するという効果がある。
【００１３】
請求項２の発明では、複数のコネクタをパネル部材に並べて配置するとともに、コネクタの配列方向において隣接するコネクタの位置を前後方向においてずらして配置しているので、隣接するコネクタとの間に指が入り込みやすくなり、コネクタの着脱作業の作業性が向上するという効果がある。
【００１４】
請求項３の発明では、複数のコネクタをパネル部材に並べて配置するとともに、コネクタ本体にコネクタを引き出すための摘みを設けているので、摘みを持って引き出すことでコネクタの取り外しを容易に行えるという効果がある。
【００１５】
請求項４の発明では、コネクタをパネル部材に取り付けた状態で保持手段の後縁から後方に突出するコネクタの部位に人の指が掛かる部位を設けているので、この部位に指を掛けてコネクタを後方に引き出すことができ、コネクタの取り外し作業が容易に行えるという効果がある。
【００１６】
請求項５の発明では、少なくとも電線接続端子に電線を圧接する位置の側方に隣接するコネクタが存在しないように、一方の列のコネクタと他方の列のコネクタの一部を重ねて配置しているので、一方の列のコネクタと他方の列のコネクタとの位置ずれを小さくでき、パネル部材の小型化を図ることができる。
【００１７】
請求項６の発明では、一方の列のコネクタと、他方の列のコネクタとは、電線接続端子を設けた片側部が互いに反対側を向くように配置されているので、電線接続端子を設けた片側部を同じ方向に向けた場合に比べて一方の列のコネクタと他方の列のコネクタとの重なり部分を大きくとることができ、その結果両者の位置ずれをさらに小さくして、パネル部材をさらに小型化できるという効果がある。
【発明を実施するための最良の形態】
【００１８】
以下に本発明の実施の形態を図面に基づいて説明する。
【００１９】
（実施形態１）
本発明の実施形態１を図１〜図９に基づいて説明する。尚、以下の説明では特に断りが無いかぎり、図２（ａ）に示す方向において上下左右の方向を規定し、図２（ａ）における正面を前面と言う。したがって図２（ｂ）における上端は後端となる。
【００２０】
本実施形態のパッチパネルは、複数のモジュラジャック１と、複数のモジュラジャック１を保持してラックなどの被取付部位に取り付けられるパネル部材２０とで構成される。
【００２１】
モジュラジャック１は、図１及び図５に示すように、前面が矩形状に形成され前面の略中央にモジュラプラグ（図示せず）が着脱自在に接続されるプラグ接続口３ａが開口するプラグ接続台３と、プラグ接続口３ａの内部に配列されモジュラプラグの接触子に弾接する複数本（本実施形態では８本）の線状のコンタクト４と、各コンタクト４にそれぞれ電気的に接続されるとともに絶縁被覆電線である電線が接続される複数個（本実施形態では８個）の電線接続端子（図示せず）が下側部に配設されプラグ接続台３の後部に結合された端子台５とを有するジャック本体２を備え、端子台５のうち少なくとも電線接続端子が配設された下側部を覆う保護キャップ６が着脱自在に結合されている。
【００２２】
端子台５の左右両側部には下側に開放された電線挿入溝１０が前後方向に沿って４つずつ形成されており、各々の電線挿入溝１０の内部には電線接続端子が配設されている。各電線接続端子は、下縁に開放された圧接スリットを有する二股のフォーク状に形成されており、厚み方向が端子台５の左右方向に一致するように配列されている。ここで、圧接スリットの幅は接続する電線の芯線に圧接スリットの両側縁に圧接する程度に設定されており、絶縁被覆を有する電線を図中下側から圧接スリットに圧入すると、電線の絶縁被覆が圧接スリットの両側縁で切断され、圧接スリットの中で芯線が端子板に圧接接続されるのである。
【００２３】
一方、パネル部材２０は、複数（例えば６個）のモジュラジャック１を左右方向に２列に並べて保持するパネル２１と、複数（例えば４個の）のパネル２１が左右方向に一列に並べて取り付けられ、ラック等の被取付部位に取り付けられるフレーム２２と、フレーム２２の左右両側部に取り付けられて両端に位置するモジュラジャック１の側面を保護する樹脂製の保護板２３，２３とで構成される。
【００２４】
パネル２１はＰＢＴなどの樹脂成型品からなり、前面が横長の略矩形状であってモジュラジャック１の前面を露出させる開口窓２４が上下２列に３個ずつ左右方向に並べて形成されており、上側の列（以下１列目と言う）の開口窓２４の位置と下側の列（以下２列目と言う）の開口窓２４の位置とを左右方向にずらして、複数の開口窓２４を千鳥状に配置することで、隣接する相互の開口窓２４の位置を左右方向においてずらして配置してある。
【００２５】
パネル２１の背面側には、ジャック本体２前端部の上下左右の側面をそれぞれ支持する当接片２５が開口窓２４の開口縁から後方に突設され、下側の当接片２５の後端部からは、後方より挿入されるジャック本体２の下側面をガイドするガイド片２６（ガイド部）が後方に向かって延出している。また、上側の当接片２５の左右両側部からは一対のアーム２７ｂが後方に向かって突出し、ジャック本体２の上面に対向配置されるロック片２７（係止部）の前後方向の中間部が連結部２７ｃを介してアーム２７ｂに回動自在に連結されている。そしてロック片２７の下面にはジャック本体２の上面に設けた係止突部７と係止離脱自在に係止する係止爪２７ａが突設されている。ここに当接片２５とガイド片２６とロック片２７とでモジュラジャック１を保持する保持手段が構成されている。
【００２６】
またパネル２１背面の上側部には、左右方向における両端部および中央部にフレーム２２に設けた取付孔３０の孔縁と係止する係止片２８が突設されている（図７（ａ）及び図８参照）。またパネル２１背面の下側部には、左右方向における両側部にＵ字状の弾性係止片２９の上側片の前端部が連結されており、この弾性係止片２９の下側片には取付孔３０の孔縁と係止する一対の爪２９ａが突設され、さらに下側片の前端部にはパネル２１の前面に露出する操作摘み２９ｂが形成されている（図５参照）。
【００２７】
一方、フレーム２２は板金に抜き加工および曲げ加工を施すことによって前面から見た形状が横長の四角枠状に形成され、パネル２１がそれぞれ取り付けられる横長の取付孔３０が左右方向に４つ並べて穿設されており、取付孔３０の下側の孔縁には、パネル２１のガイド片２６および弾性係止片２９をそれぞれ逃がす切欠３３，３４が形成されている。
【００２８】
またフレーム２２の左右方向の両側片２２ａ，２２ｂには、ラックなどの被取付部位に取り付けるための取付ねじ（図示せず）を挿通する各２個のねじ孔３１ａ，３１ｂが上下に並べて穿設されている。
【００２９】
またフレーム２２の下側縁からは後方に向かって矩形板状の底板２２ｃが一体に延設され、底板２２ｃ後部の左右両側縁からはそれぞれ上方に向かって突出する取付片２２ｄが一体に設けられており、各々の取付片２２ｄに保護板２３が接着などの方法で取り付けられている。なお底板２２ｃは前後方向の中間部がクランク状に折り曲げられて、段差が形成されており、上側に突出した後部の電線保持片２２ｅには、モジュラジャック１に結線されるケーブル（図示せず）を結束して底板２２ｃに固定するための結束バンド（図示せず）を通す通し孔３２が複数穿設されている。
【００３０】
ここで、本実施形態のパッチパネルを組み立てる手順について説明する。まずパネル２１にモジュラジャック１を取り付ける手順を説明する。ジャック本体２の向きを合わせて、パネル２１の背面側からガイド片２６とロック片２７との間にジャック本体２を挿入し、ジャック本体２の前面がパネル２１の前面と略同一面となる位置まで差し込むと、ジャック本体２の前側部分が当接片２５と当接して上下左右への移動が規制されるとともに、ジャック本体２の左右両側面の突起８，９が当接片２５の後縁に当接してジャック本体２の前方への移動が規制され、さらにロック片２７の係止爪２７ａがジャック本体２の係止突部７と係止することで、ジャック本体２の抜けが防止される。なお係止爪２７ａと係止突部７とが係止する際には、係止突部７および係止爪２７ａにそれぞれ設けたテーパ面と連結部２７ｃの弾性とによって容易に係止できるようになっている。
【００３１】
次にモジュラジャック１を保持したパネル２１をフレーム２２に取り付ける手順を説明する。先ずパネル２１の下側が斜め上方を向くようにパネル２１を傾けた状態でパネル２１をフレーム２２の取付孔３０に前面側から挿入し、パネル２１の上側縁に設けた係止片２８を取付孔３０の上側の孔縁に引掛係止させた後、パネル２１の下側を後方に押し込むと、パネル２１の下側部に設けた弾性係止片２９の爪２９ａが取付孔３０の下側の孔縁に係止して、パネル２１がフレーム２２に取り付けられる。このときパネル２１の右上部の背面に突設された位置決め突起３５がフレーム２２に設けた孔３６と嵌合することによって、パネル２１ががたつき無くフレーム２２に取り付けられる。なお弾性係止片２９の爪２９ａと取付孔３０の孔縁とが係止する際には、爪２９ａに設けたテーパ面と弾性係止片２９の弾性とで容易に係止できるようになっている。
【００３２】
一方、フレーム２２からパネル２１を取り外す際には、パネル２１の前面側に露出する操作摘み２９ｂを上側に押圧すると、弾性係止片２９の下側片が上側に撓んで、爪２９ａと取付孔３０の孔縁との係止が解除されるので、係止状態を解除した後にパネル２１を前面側に引き出すことで、パネル２１をフレーム２２から容易に取り外すことができる。またパネル２１からモジュラジャック１を取り外す際には、ロック片２７の後部を図５中下側に押圧すると、ロック片２７が連結部２７ｃを中心に図中時計回りに回転し、係止爪２７ａと係止突部７との係止状態が解除されるので、係止状態を解除した後にジャック本体２を後側に引き出すことで、モジュラジャック１を容易に取り外すことができる。
【００３３】
本実施形態のパッチパネルは以上のような構成を有しており、図６に示すようにパネル２１には６個のモジュラジャック１が３個ずつ上下２列に並べて配置されている。ここで、１列目の３個のモジュラジャック１の取付ピッチと、２列目の３個のモジュラジャック１の取付ピッチは略同じ取付ピッチであり、モジュラジャック１の配列方向（左右方向）において一方の列（１列目）のモジュラジャック１の位置と、他方の列（２列目）のモジュラジャック１の位置とを互いにずらすことで、６個のモジュラジャック１が千鳥状に配置されている。また６個のモジュラジャック１は取り付けの密度を高めるために、近接して配列されており、左右方向において隣接するモジュラジャック１の間の隙間は人の指を入れることができないような寸法に設定されている。
【００３４】
ここで、端子台５に配設した電線接続端子に結線される電線は、電線接続端子における電線の圧接位置（端子台５に設けた電線挿入溝１０の上端付近）から左右両側に突出するので、図７（ａ）（ｂ）に示すように上側（１列目）のジャック本体２の左右両側面から突出する電線が、隣接する下側（２列目）のジャック本体２と干渉しないように上側のジャック本体２と下側のジャック本体２の配置を決定する必要がある。そこで、下側のジャック本体２の上面が、上側のジャック本体２の電線圧接位置よりも下方に位置し、且つ、上下方向において上側のジャック本体２と下側のジャック本体２の少なくとも一部が重なり合うようにジャック本体２の配置を決定してある。したがって、１列目（上側）のモジュラジャック１では、ジャック本体２の左右両側面の上側部が隣接する２列目（下側）のモジュラジャック１の上方に位置し、２列目のモジュラジャック１では、ジャック本体２の左右両側面の下側部が隣接する１列目のモジュラジャック１の下方に位置するので、ジャック本体２の左右両側面の上側部又は下側部を指で摘みやすくなり、従来例のように複数個のモジュラジャック１を一列に並べて配置した場合に比べて、隣接するモジュラジャック１との間に指が入り込みやすくなって、モジュラジャック１の着脱作業の作業性が向上する。また上下方向において１列目のジャック本体２と２列目のジャック本体２の少なくとも一部が重なり合っているので、１列目と２列目のジャック本体２の位置ずれを小さくして、パネル２１の小型化を図ることができる。
【００３５】
またパネル２１からモジュラジャック１を取り外す際には、ロック片２７の後部を図５中下側に押圧することで、ロック片２７を連結部２７ｃの周りに時計回りに回転させて、係止爪２７ａと係止突部７との係止状態を解除した後に、ジャック本体２を後方に引き出すのであるが、図８及び図９に示すようにジャック本体２の後端部と、ジャック本体２の下側に配置されるガイド片２６の後縁との間の寸法Ｄ１を、人の指が掛かる程度の寸法に設定し、ガイド片２６の後縁から後方に突出するジャック本体２の部位に人の指を掛ける部位を設けているので、例えば一方の手の人差し指でロック片２７の後部を下側に押圧して係止状態を解除するとともに、同じ手の親指をジャック本体２の後端部とガイド片２６の後縁との間の部位（すなわち保護キャップ６の下側面）に掛けて、保護キャップ６の下側面を後方に押圧することによって、ジャック本体２を後側に押し出すことができ、モジュラジャック１の取り外し作業を容易に行うことができる。
【００３６】
なお本実施形態ではパネル２１に対して複数のモジュラジャック１を上下２列に並べて配置してあるが、複数のモジュラジャック１をパネル２１に複数列に並べて配置するとともに、モジュラジャック１の配列方向において、各々の列のモジュラジャック１の配列方向における位置を互いにずらすことで、隣接する相互のモジュラジャック１の位置を互いにずらした状態で配置すれば良く、隣接するモジュラジャック１との間に指が入り込みやすくなって、モジュラジャック１の着脱作業をやりやすくできる。
【００３７】
（実施形態２）
本発明の実施形態２を図９及び図１０に基づいて説明する。上述の実施形態１では、１列目のモジュラジャック１と、２列目のモジュラジャック１とが、電線接続端子を設けた端子台５の下側部が共に下側を向くように配置されているのに対して、本実施形態では１列目のモジュラジャック１と、２列目のモジュラジャック１とを、電線接続端子を設けた片側部が上下方向において互いに反対側を向くように配置してある。なおモジュラジャック１の配置以外は実施形態１と同様であるので、共通する構成要素には同一の符号を付してその説明は省略する。また図１１では図示を簡単にするためにモジュラジャック１を保持するためのガイド片２６やロック片２７を省略して図示してある。
【００３８】
本実施形態では、図１１に示すように１列目のモジュラジャック１はジャック本体２の電線接続端子を配設した部位が上側を向き、２列目のモジュラジャック１はジャック本体２の電線接続端子を配設した部位が下側を向くようにそれぞれ配置されており、電線接続端子を配設した部位が互いに反対側を向いているので、ジャック本体２の左右両側面から側方に突出する電線が隣接するモジュラジャック１と干渉しないようにジャック本体２の配置を決める場合でも、電線接続端子を設けた片側部が同じ方向を向いた場合に比べて、１列目のモジュラジャック１と２列目のモジュラジャック１との重なり部分を大きくとることができる。したがって、１列目のモジュラジャック１と、２列目のモジュラジャック１との位置ずれＤ３をさらに小さくでき、パネル２１をさらに小型化することができる。
【００３９】
（実施形態３）
本発明の実施形態３を図１２及び図１３に基づいて説明する。上述の実施形態１では、ジャック本体２の前面がパネル２１の前面と略面一になるようにモジュラジャック１が配置されているのに対して、本実施形態では、モジュラジャック１の配列方向（左右方向）において隣接するモジュラジャック１の位置を前後方向においてずらして配置してある。尚、モジュラジャック１の配置以外は実施形態１と同様であるので、共通する構成要素には同一の符号を付してその説明は省略する。
【００４０】
本実施形態では、図１２及び図１３に示すように１列目のモジュラジャック１に対して、２列目のモジュラジャック１を後方に距離Ｄ２だけ突出させて配置してあり、１列目の３個のモジュラジャック１と、２列目の３個のモジュラジャック１とを前後方向において位置をずらして配置してあるので、隣接するジャック本体２の間に指が入り込みやすくなり、モジュラジャック１の着脱作業の作業性が向上する。
【００４１】
なお本実施形態では、実施形態１と同様にパネル２１の前面に複数のモジュラジャック１を複数列に配置するとともに、隣接する相互のモジュラジャック１の位置を配列方向（左右方向）においてずらして配置しているが、複数のモジュラジャック１を１列に配列するとともに、隣接するモジュラジャック１を前後方向において位置をずらして配置しても良く、上述と同様に隣接するモジュラジャック１の間に指が入りやすくなって、モジュラジャック１の着脱作業の作業性を向上させることができる。
【００４２】
（実施形態４）
本発明の実施形態４を図１４に基づいて説明する。本実施形態では、上述の実施形態１においてジャック本体２の後部に、ジャック本体２の取り外し時にジャック本体２を引き出すための摘み１１を一体に突設してある。尚、モジュラジャック１の摘み１１以外は実施形態１と同様であるので、共通する構成要素には同一の符号を付してその説明は省略する。
【００４３】
上述のように本実施形態ではジャック本体２の後部から摘み１１を後方に向かって突出させているので、モジュラジャック１が近接して配置されている場合でも摘み１１を容易に摘むことができる。したがって、モジュラジャック１をパネル２１から取り外す際には、ロック片２７の後部を図５中下側に押圧して、ロック片２７を連結部２７ｃを中心にして図中時計回りに回転させることで、係止爪２７ａと係止突部７との係止状態を解除した後に、摘み１１を指で摘んで後方に引っ張ることで、ジャック本体２を容易に取り外すことができ、取り外し作業の作業性を向上させることができる。
【００４４】
なお本実施形態では、実施形態１と同様にパネル２１の前面に複数のモジュラジャック１を複数列に配置するとともに、隣接する相互のモジュラジャック１の位置を配列方向（左右方向）においてずらして配置しているが、複数のモジュラジャック１を１列に配列しても良いことは言うまでもない。
【００４５】
また上述の各実施形態ではモジュラジャック１からなるコネクタとモジュラジャック１を保持するパネル部材２０とで構成されるパッチパネルを例に説明を行ったが、コネクタをモジュラジャック１に限定する趣旨のものではなく、光コネクタやＴＶコネクタなどのプラグが着脱自在に接続されるジャック（コネクタ）と、このジャックを保持するパネル部材２０とで構成されるものでも良い。
【図面の簡単な説明】
【００４６】
【図１】実施形態１の分解斜視図である。
【図２】同上を示し、（ａ）は正面図、（ｂ）は上面図である。
【図３】同上の外観斜視図である。
【図４】同上の側面図である。
【図５】同上を示し、図２（ａ）のＡ−Ａ断面図である。
【図６】同上を示し、パネルにモジュラジャックを保持させた状態の正面図である。
【図７】同上を示し、（ａ）はパネルにモジュラジャックを保持させた状態を後側から見た斜視図、（ｂ）はＢ部拡大図である。
【図８】同上を示し、パネルにモジュラジャックを保持させた状態の側面図である。
【図９】同上を示し、パネルにモジュラジャックを保持させた状態を下側から見た斜視図である。
【図１０】実施形態２を示し、パネルにモジュラジャックを保持させた状態の正面図である。
【図１１】同上を示し、パネルにモジュラジャックを保持させた状態を後方から見た斜視図である。
【図１２】実施形態３を示し、パネルにモジュラジャックを保持させた状態の斜視図である。
【図１３】同上を示し、パネルにモジュラジャックを保持させた状態の上面図である。
【図１４】実施形態４を示し、パネルにモジュラジャックを保持させた状態の側面図である。
【図１５】従来のパッチパネルを示し、（ａ）は正面図、（ｂ）は上面図である。
【符号の説明】
【００４７】
１    モジュラジャック
３ａ  プラグ接続口
２１  パネル
２２  フレーム
２４  開口窓
【図１】
2005209387.tif 000003
【図２】
2005209387.tif 000004
【図３】
2005209387.tif 000005
【図４】
2005209387.tif 000006
【図５】
2005209387.tif 000007
【図６】
2005209387.tif 000008
【図７】
2005209387.tif 000009
【図８】
2005209387.tif 000010
【図９】
2005209387.tif 000011
【図１０】
2005209387.tif 000012
【図１１】
2005209387.tif 000013
【図１２】
2005209387.tif 000014
【図１３】
2005209387.tif 000015
【図１４】
2005209387.tif 000016
【図１５】
2005209387.tif 000017